(57)【特許請求の範囲】
【請求項１】
リール本体の側板間に回転自在に支持したスプールに制動力を付与する制動装置と、前記側板に回転自在に支持され、前記制動装置の制動力を調節する調節部材とを有する魚釣用リールにおいて、
前記調節部材の操作部はリング形態に形成されると共に、前記リング形態の操作部の径方向内方に、掌が当て付き可能なホールド部が前記側板と一体的に形成されており、
前記リング形態の操作部は、前記側板のホールド部の径方向外方で露出するように、前記ホールド部の径方向外方に形成された環状凹所内に回転可能に設置されていることを特徴とする魚釣用リール。
【請求項２】
前記リング形態の操作部の内側のホールド部は、中央領域が滑らかに膨出していることを特徴とする請求項１に記載の魚釣用リール。
【発明の詳細な説明】
【技術分野】
【０００１】
本発明は、リール本体に回転自在に支持したスプールに制動力を付与する制動装置を備えた魚釣用リールに関する。
【背景技術】
【０００２】
従来、魚釣用リールでは、クラッチ機構の操作でスプールフリー状態に切換後、キャスティング操作によって釣糸（仕掛け）を所定のポイントへ放出する際、釣糸の引き出し速度よりスプールの回転速度が速くなると、バックラッシュ現象が生じて糸絡みや食い込み等の不具合が発生するため、このようなスプール過回転現象を自動的に防止する制動装置（バックラッシュ防止装置とも称する）を装備することが行われている。
【０００３】
通常、制動装置は、スプールの回転に制動力を付与する構成となっており、リール本体の側板の外部に設けられた制動力調節部材を回転操作することでスプールに対する制動力を調節するようになっている。ところで、上記した制動力調節部材は、リール本体の側板から突出するように設けられているため、リール本体の握持保持性に劣るという問題がある。そこで、このような問題を解決するため、特許文献１には、リール本体の側板に関し、中央部から径方向外方の周縁部に向けた外表面全体を、制動力調節部材の操作部として構成し、握持保持性の向上を図った魚釣用リールが提案されている。
【特許文献１】特許第３９５５７２５号
【発明の開示】
【発明が解決しようとする課題】
【０００４】
上記した公知技術では、リール本体が、落下等によって他物と衝突すると、その外力が操作部となる側板外表面の中央部分に加わり易く、そのため、側板内部の回転支持部に影響を及ぼしたり、外表面に発生し易い打痕、傷の影響などによって、操作部の回転操作性を低下させてしまう可能性がある。また、それとは別に、実釣時において、側板の外表面全体に、掌のヌメリや異物等が付着し易いことから、操作部の回転操作性を低下させてしまう可能性もある。
【０００５】
さらに、側板に突出する操作部がないため、掌で違和感なく握持保持できるものの、実用時での頻繁な保持の繰り返しや、高負荷巻き取り時における握持保持等により、直接、掌で保持する接触面積が大きいことによって不用意に回転し易く、制動力の設定値が変わってしまうことがある。
【０００６】
本発明は、上記した問題に着目してなされたものであり、良好な握持保持性の維持を図りながら、スプールに対する制動力の調節、設定を支障なく行える魚釣用リールを提供することを目的とする。
【課題を解決するための手段】
【０００７】
上記した目的を達成するために、本発明に係る魚釣用リールは、リール本体の側板間に回転自在に支持したスプールに制動力を付与する制動装置と、前記側板に回転自在に支持され、前記制動装置の制動力を調節する調節部材とを有しており、前記調節部材の操作部はリング形態に形成されると共に、前記リング形態の操作部の径方向内方に、掌が当て付き可能なホールド部が前記側板と一体的に形成されており、前記リング形態の操作部は、前記側板のホールド部の径方向外方で露出するように、前記ホールド部の径方向外方に形成された環状凹所内に回転可能に設置されていることを特徴とする。
【０００８】
上記した構成によれば、側板の中央部分は、側板と一体的に形成されるホールド部となっており、その部分を掌で握持保持しても、その周囲に位置する操作部に影響を及ぼすことはなく、操作部の良好な回転操作性を維持することが可能となる。また、実用時において、ホールド部を掌で保持しても、その周囲に位置する操作部に影響を及ぼすことがないことから、安定して制動力の設定値を維持することが可能となる。
【発明の効果】
【０００９】
本発明によれば、良好な握持保持性の維持を図りながら、スプールに対する制動力の調節、設定を支障なく行える魚釣用リールが得られる。
【発明を実施するための最良の形態】
【００１０】
以下、図面を参照しながら本発明に係る魚釣用リールの一実施形態について説明する。
【００１１】
図１から図３は、本発明に係る魚釣用リールの第１の実施形態を示す図であり、図１は内部構成を示した平面図、図２は図１に示す魚釣用リールの主要部を示す図、そして、図３は左側板側から見た側面図である。
【００１２】
本実施形態に係る魚釣用リール（両軸受型リール）のリール本体１は、左右のフレーム２ａ，２ｂと、左右のフレーム２ａ，２ｂを覆うように取着されるカバー３ａ，３ｂとを備えた左右側板１Ａ，１Ｂを具備している。この場合、左カバー３ａは、中央領域が滑らかに膨出したドーム形状に形成されており、その表面は、掌によって保持可能なホールド部３ａ´を構成している。
【００１３】
前記カバー３ａ，３ｂ（側板１Ａ，１Ｂ）は、側方から見て円形状に構成されており、ビス等の固定手段によってフレーム２ａ，２ｂに装着されている。なお、右カバー３ｂの外周側には、固定手段を隠蔽するようにリング状の部材４を装着しても良い。また、左カバー３ａの外周側には、後述するセットプレートを左フレーム２ａに固定するように、リング状の部材（環状リング５６）が装着されている。
【００１４】
前記左右側板１Ａ，１Ｂ間には、スプール軸５が軸受７を介して回転自在に支持されており、スプール軸５には、釣糸が巻回されるスプール５ａが一体的に固定されている。また、右フレーム２ｂから突出するスプール軸５の端部には、スプール軸５の軸方向に沿って移動可能なピニオンギヤ８が取り付けられている。このピニオンギヤ８は、公知のクラッチ機構１１によって、スプール軸５と係合してスプール軸５と一体に回転する係合位置（動力伝達状態）と、スプール軸５との係合状態が解除される非係合位置（動力遮断状態）との間で移動される。また、ピニオンギヤ８には、ハンドル軸９に支持されたドライブギヤ１０が噛合しており、ハンドル軸９の端部に装着されたハンドル９ａを回転操作することで、前記ドライブギヤ１０とピニオンギヤ８とを介して、スプール軸５が回転駆動され、それに伴ってスプール５ａが回転される。
【００１５】
なお、前記ハンドル軸９とドライブギヤ１０との間には、公知のドラグ機構１２が設置されており、魚が掛かって釣糸が繰り出された場合等、スプール５ａに対して所望の制動力を付与できるようになっている。また、ハンドル軸９と右カバー３ｂとの間には、一方向クラッチ１３が設置されており、ハンドル軸９を釣糸巻き取り方向のみに回転できるよう構成されている。
【００１６】
さらに、左右側板１Ａ，１Ｂ間には、前記スプール５ａの前方側に、レベルワインド機構１５が設置されている。このレベルワインド機構１５は、公知のように、前記ドライブギヤ１０と噛合する連動歯車１５ａ、連動歯車と一体回転する螺軸１５ｂ、螺軸１５ｂに係合する釣糸案内体１５ｃを備えており、ハンドル９ａを回転操作することで、螺軸１５ｂを回転させ、釣糸案内体１５ｃを左右方向に往復動させるようになっている。
【００１７】
上記した構成により、ハンドル９ａを巻き取り操作することで、前記ドライブギヤ１０及びピニオンギヤ８等を介してスプール５ａが回転駆動されると共に、前記レベルワインド機構１５によって釣糸案内体１５ｃが左右方向に往復動され、スプール５ａに対して釣糸が均等に巻回される。
【００１８】
また、前記左側板１Ａ側には、上記したクラッチ機構をＯＦＦ状態として釣糸放出操作（主にキャスティング操作）する際に、スプール５ａの過回転を防止する制動装置２０が配設されている。以下、この制動装置２０の構成、及び作用について説明する。
【００１９】
本実施形態の制動装置２０は、磁石によってスプール５ａに対して制動力を付与する構成となっており、スプール軸５に対して軸方向に沿って移動可能で回り止め嵌合された移動体２１と、移動体２１の外周面に所定間隔をおいて径方向に移動可能に保持された遠心カラー２３とを有している。これらの遠心カラー２３は、スプール軸５（および移動体２１）がスプール５ａと共に回転した際に、遠心力によって径方向外側に移動するようになっている。
【００２０】
また、前記移動体２１の左側板側には、環状の導電体２５が支持されており、この導電体２５は、前記移動体２１の移動に伴って、スプール軸５に沿って軸方向に移動可能となっている。そして、前記スプール５ａの釣糸巻回面の裏面側には、左フレーム２ａ側に向けて次第に拡径するテーパ面５ｂが形成されている。このテーパ面５ｂは、前記遠心カラー２３が径方向外側に移動する際に、遠心カラー２３の外面に形成された傾斜面２３ａと面接触（係合）して、遠心カラー２３の移動を案内するようになっている。すなわち、移動体２１に支持された遠心カラー２３は、スプール軸５（スプール５ａ）の回転に伴う遠心力により、傾斜面２３ａとテーパ面５ｂとの係合作用によって径方向に移動すると共に、テーパ面５ｂに沿って案内され、これにより、環状の導電体２５が支持された移動体２１を、スプール軸に沿って左フレーム２ａ側へ移動させるようになっている。
【００２１】
また、スプール軸５の一端部に固定されたリテーナ２６と移動体２１との間には、移動体２１をスプール５ａ側方向に向けて常時付勢する（導電体２５を、後述する磁石の磁界から離れる方向に向けてスプール５ａ側へと常時付勢する）バネ部材２７が介挿されている。
【００２２】
さらに、前記制動装置２０は、左側板１Ａ側に配設され、前記軸方向に移動可能な導電体２５との間で磁力を作用させる磁石３０を備えている。この磁石３０は、スプール５ａの回転に伴って軸方向に進退する前記導電体２５に対し、磁力を付与して導電体２５に対して制動力を付与する構成となっており、本実施形態では、環状に構成され前記導電体２５の内面側に所定間隔をおいて対向配設される内側磁石３１と、環状に構成され前記導電体２５の外面側に所定間隔をおいて配設される外側磁石３２とを備えている。これにより前記導電体２５は、内側磁石３１、及び外側磁石３２の間の隙間に生じる磁界内に進退可能となっており、スプール５ａに磁気制動力を作用させる。
【００２３】
前記制動装置を構成する磁石３０は、左フレーム２ａと左カバー３ａとの間に設置されるセットプレート４０に装着されている。セットプレート４０には、その中央領域に、スプール側に向けて突出する内側環状壁４１が形成されており、この部分の内側に前記軸受７を配置してスプール軸５の一端を回転可能に支持し、その外側に前記内側磁石３１を取着している。
【００２４】
また、前記セットプレート４０には、内側環状壁４１の外側に、外側環状壁４３が形成されている。この外側環状壁４３は、左フレーム２ａの開口に圧入されており、その内側には、前記外側磁石３２を取着したホルダ４５が回転可能に設置されている。前記ホルダ４５の左カバー側には、後述する調節部材５０に形成された歯車５２と噛合する内歯４５ａが一体的に形成されている。なお、この内歯４５ａは、ホルダ４５、すなわち外側磁石３２を所定の角度範囲内、周方向に変位させて内側磁石３１との間で磁極を変化させ、両者の間に進退する導電体２５に作用する磁気制動力を調整するものであることから、図３に示すように、円弧状に形成されている。
【００２５】
上記したセットプレート４０と左カバー３ａとの間には、スプールに対する制動力を調節する調節部材５０が設置されている。この調節部材５０は、前記ホルダ４５に取着された外側磁石３２を周方向に変位させて、内側磁石３１との間で磁極を変化させ、制動力を調節する部材であり、円板状に形成され、その径方向外側には、リング形態の操作部５１が形成されている。また、その中央部分には、前記ホルダ４５に形成される内歯４５ａと噛合するように歯車５２が一体形成されている（別体の歯車を装着しても良い）。
【００２６】
この場合、前記セットプレート４０は、前記左カバー３ａの内側に突設されたビス止め３ｄ（２箇所形成されている）に対して、内側からビス５５を螺入することで左カバー３ａと一体化されており、かつその外周部において、左フレーム２ａに形成された環状壁２ｄの端面に当て付けられて、環状リング５６を取着することで左フレーム２ａと一体化されている。すなわち、左カバー３ａ及びセットプレート４０は、左フレーム２ａと一体化されて固定された状態となっている。
【００２７】
そして、前記左カバー３ａ（左側板１Ａ）は、そのホールド部３ａ´の径方向外方において、環状リング５６との間で環状凹所６０が形成されるように構成されており、この環状凹所６０内に、前記調節部材５０の操作部５１が所定角度の範囲で回転可能に配置されている。このため、調節部材５０には、図３に示すように、前記左カバー３ａに突設されたビス止め３ｄに沿って回転できるように、円弧状の孔５３が形成されている。これにより、調節部材５０は、環状凹所６０の部分で、リング状に形成された操作部５１が露出し、それ以外の部分については、左カバー３ａ（ホールド部３ａ´）によって閉塞された状態となっている。
【００２８】
また、上記のようにホールド部３ａ´の径方向外方で露出する操作部５１の表面は、粗面化処理を施しておくことが好ましい。本実施形態では、周方向に沿って連続的に凹部５１ａ及び凸部５１ｂを形成しており、指を当て付けて凸部５１ｂに指をかかり易くして、操作部５１を回転操作し易いように構成している。もちろん、凹凸部以外にも、操作部５１の表面をサンドブラスト処理したり、高摩擦部材を取着する等、適宜、変形することが可能である。
【００２９】
また、調節部材５０は、操作部５１を回転操作した際、その回転に抵抗力を付与して節度を持たせる（クリック音を発生させる）ようにしている。具体的には、セットプレート４０の左カバー側表面にクリック部材６２を弾性支持すると共に、調節部材５０の左フレーム側表面に、円弧状に連続する凹所６３を形成することで、調節部材５０の回転操作時に節度を持たせることが可能となる。なお、このような調節部材５０に節度を持たせるクリック機構については、設置しない構成であっても良い。
【００３０】
そして、スプール５ａに対する制動力を調節する際には、調節部材５０の操作部５１に指を当て付けて回転操作することで、制動装置２０の外側磁石３２を取着したホルダ４５が、調節部材５０の歯車５２及びホルダ４５の内歯４５ａを介して回転されため、外側磁石３２が周方向に変位して内側磁石３１との間で磁極が変化し、両者の間に進退する導電体２５に作用する磁気制動力が調節される。
【００３１】
上記した構成の魚釣用リールによれば、膨出する側板１Ａの中央領域に、回転操作される調節部材５０の操作部が配置されていないため、リール本体を落下したり、或いは外力が加わっても、その外側にある操作部５１に影響を及ぼすことがなく、操作部５１の回転操作性を低下させてしまうことはない。また、実釣時において、側板１Ａ（左カバー３ａ）の外表面に、掌のヌメリや異物等が付着しても、操作部５１の回転操作性を低下させてしまうことも抑制される。さらに、側板１Ａにツマミのように突出する操作部がないため、掌で違和感なく握持保持することができ、実用時での頻繁な保持の繰り返しや、高負荷巻き取り時における握持保持等によっても、操作部５１が不用意に回転することはなく、制動力の設定値が変わることもない。
【００３２】
また、上記したように、リング形態の操作部５１を、ホールド部３ａ´の外側にある環状凹所６０の部分に設置したことで、操作部５１の表面をホールド部３ａ´の表面、及び環状リング５６の表面と略面一に配置することが可能となる。これにより、更に握持、保持性の向上が図れると共に、外観を向上することが可能となる。
【００３３】
以上、本発明の実施形態について説明したが、本発明は、上記した実施形態に限定されることはなく、種々変形することが可能である。
【００３４】
上述した実施形態では、制動装置２０は、外側磁石３２を周方向に変位させることで、内側磁石３１と外側磁石３２の間に進退する導電体２５に作用する磁気制動力を調節するようにしたが、図４に示すように、内側磁石３１と外側磁石３２をホルダ４５に支持しておき、両磁石の導電体２５に対する軸方向位置を変更するようにしても良い。すなわち、ホルダ４５を、セットプレート４０の外側環状壁４３に対して、付勢バネ７０を介して左カバー側に向けて付勢しておき、かつホルダ４５の調節部材５０に対向する部分にカム面７１を形成しておく。そして、前記調節部材には、カム面７１と常時当て付く当接部が形成されており、調節部材５０を操作部５１によって回転した際、カム面７１によって、ホルダ４５を付勢バネ７０の付勢力に抗してスプール側に変位させるようにしている。
【００３５】
この結果、内側磁石３１と外側磁石３２の導電体２５に対する軸方向位置が変更可能となり、制動力を調節することが可能となる。
【００３６】
このように、制動装置２０については、適宜変形することが可能である。或いは、上記したような磁石を利用した磁気ブレーキ方式以外にも、遠心ブレーキ方式等、それ以外の構成を採用しても良い。
【００３７】
また、調節部材５０が設置される側板１Ａの構成、具体的には、フレーム、カバー、セットプレートの配置態様や形状等についても、適宜変形することが可能である。上述した実施形態では、セットプレート４０を裏側から左カバー３ａに対してビス止めし、セットプレートと左カバーの間に調節部材５０を設置したが、図５に示すように、セットプレート４０Ａに対して、左カバー３ａを外側からネジ８０によって固定すると共に、左カバー３ａに対してセットプレートを介在することなく、直接、調節部材５０を回転可能となるように装着しても良い。また、図２に示した環状リング５６については取着しない構成であっても良い。このような構成では、環状凹所６０は、左カバー３ａと左フレーム２ａとの間に形成することが可能である。
【００３８】
このように、調節部材５０が配置される側板の構成については、適宜変形することができ、上記以外にも、側板１Ａについては左フレーム２ａと一体化された構成であっても良い。すなわち、掌によって保持される側板のホールド部３ａ´については、側板１Ａを構成する部材と一体化されていれば良く、例えば、左フレーム２ａと一体化された構成であっても良い。また、ホールド部３ａ´については、掌が当て付く部分であり、その外側に操作部が位置すれば良く、ドーム状に膨出する外形状以外の形状、例えば、平坦面で構成しても良いし、凹凸面によって構成しても良い。
【図面の簡単な説明】
【００３９】
【図１】本発明に係る魚釣用リールの一実施形態を示す図であり、内部構成を示した平面図。
【図２】図１に示す魚釣用リールの主要部を示す図。
【図３】左側板から見た側面図。
【図４】図１に示した実施形態の第１の変形例を示す図。
【図５】図１に示した実施形態の第２の変形例を示す図。
【符号の説明】
【００４０】
１  リール本体
１Ａ，１Ｂ  左右側板
２ａ，２ｂ  左右フレーム
３ａ，３ｂ  左右カバー
３ａ´  ホールド部
５ａ  スプール
２０  制動装置
４０，４０Ａ  セットプレート
５０  調節部材
５１  操作部
６０  環状凹所
【図１】
0004965410.tif 000002
【図２】
0004965410.tif 000003
【図３】
0004965410.tif 000004
【図４】
0004965410.tif 000005
【図５】
0004965410.tif 000006